(57)【要約】【課題】記録動作に関する設定を簡易化する。【解決手段】記録システム２の記録装置１は、収容したロール紙に設けられたＲＦＩＤタグから、情報を無線通信で読み取るタグ通信装置１６と、ロール紙Ｒに記録する記録ヘッド１０と、タグ通信装置１６の読取結果に基づいて記録動作に関する情報を取得し、取得した情報を送信し、また、ホストコンピューター３から受信した制御データに基づいて記録ヘッド１０を制御して記録を実行させる制御部３０と、を有し、ホストコンピューター３は、記録装置１で送信された情報を受信し、受信した情報に基づいて記録動作に関する設定を行い、また、記録動作に関する設定に基づいて制御データを生成し、生成した制御データを記録装置１に送信する制御装置制御部５０を有する。【選択図】図３
2016038611.tif 000002
【特許請求の範囲】
【請求項１】
収容した記録媒体に設けられたＩＣタグから、記録動作に関する情報を無線通信で読み取る無線通信部と、
前記記録媒体に記録する記録部と、
前記無線通信部の読取結果に基づいて記録動作に関する情報を取得し、取得した情報を制御装置に送信し、また、当該制御装置から受信した制御データに基づいて前記記録部を制御して記録を実行させる制御部と、を有する記録装置と、
前記記録装置で送信された記録動作に関する情報を受信し、受信した情報に基づいて記録動作に関する設定を行い、また、記録動作に関する設定に基づいて前記制御データを生成し、生成した前記制御データを前記記録装置に送信する制御装置制御部を有する制御装置と、を備える
ことを特徴とする記録システム。
【請求項２】
前記記録装置の前記無線通信部は、前記ＩＣタグに情報を書き込む機能を有し、
前記制御装置の前記制御装置制御部は、
記録動作に関する設定に変更があった場合、変更の内容を示す情報を前記記録装置に送信し、
前記記録装置の前記制御部は、
前記無線通信部を制御して、受信した変更の内容を示す情報に基づいて、収容した前記記録媒体に設けられた前記ＩＣタグが記憶する記録動作に関する情報を変更する
ことを特徴とする請求項１に記載の記録システム。
【請求項３】
収容した前記記録媒体に設けられた前記ＩＣタグは、前記記録媒体に関する情報を記憶し、
前記記録装置の前記制御部は、
前記無線通信部の読取結果に基づいて前記記録媒体に関する情報を取得し、取得した情報に基づいて、前記記録媒体に関する設定を行い、取得した情報を前記制御装置に送信し、
前記制御装置の前記制御装置制御部は、
前記記録装置で送信された前記記録媒体に関する情報を受信し、受信した情報に基づいて前記記録媒体に関する設定を行う
ことを特徴とする請求項１又は２に記載の記録システム。
【請求項４】
前記無線通信部は、前記ＩＣタグに情報を書き込む機能を有し、
前記記録装置の前記制御部は、
前記無線通信部を制御して、収容した前記記録媒体に設けられた前記ＩＣタグに、前記記録媒体の残量に関する情報を書き込むことを特徴とする請求項１に記載の記録システム。
【請求項５】
前記無線通信部は、前記ＩＣタグに情報を書き込む機能を有し、
収容した前記記録媒体に設けられた前記ＩＣタグは、前記記録媒体に関する情報を記憶し、
前記記録装置は、前記記録媒体に関する情報と、記録動作に関する情報とを対応付けて、１又は複数、記憶する記憶部を有し、
前記記録装置の前記制御部は、前記無線通信部の読取結果に基づいて前記記録媒体に関する情報を取得し、取得した前記記録媒体に関する情報と、前記記憶部が記憶する前記記録媒体に関する情報とが一致する場合は、前記無線通信部を制御して、前記記憶部で前記記録媒体に関する情報と対応付けて記憶された記録動作に関する情報に基づいて、収容した前記記録媒体に設けられた前記ＩＣタグが記憶する記録動作に関する情報を変更し、また、
取得した前記記録媒体に関する情報と、前記記憶部が記憶する前記記録媒体に関する情報とが一致しない場合は、取得した前記記録媒体に関する情報と、前記無線通信部の読取結果に基づいて取得した記録動作に関する情報とを対応付けて前記記憶部に記憶させる
ことを特徴とする請求項１に記載の記録システム。
【請求項６】
記録装置で、収容した記録媒体に設けられたＩＣタグから、記録動作に関する情報を無線通信で読み取って記録動作に関する情報を取得し、取得した情報を送信し、
制御装置で、前記記録装置で送信された記録動作に関する情報を受信し、受信した情報に基づいて記録動作に関する設定を行う
ことを特徴とする情報設定方法。
【請求項７】
収容した記録媒体に設けられたＩＣタグから、記録動作に関する情報を無線通信で読み取る無線通信部と、
前記記録媒体に記録する記録部と、
前記無線通信部の読取結果に基づいて記録動作に関する情報を取得し、取得した情報を送信する制御部と、
を備えることを特徴とする記録装置。
【発明の詳細な説明】
【技術分野】
【０００１】
本発明は、記録システム、情報設定方法、及び、記録装置に関する。
【背景技術】
【０００２】
従来、記録媒体を収容し、収容した記録媒体の紙質を自動で判定する記録装置（印刷装置）が知られている（例えば、特許文献１参照）。
一般に、記録装置は、ホストコンピューター等の制御装置に接続され、制御装置の制御で、記録等の各種処理を実行する。
【先行技術文献】
【特許文献】
【０００３】
【特許文献１】特開２００３−５４０７５号公報
【発明の概要】
【発明が解決しようとする課題】
【０００４】
記録装置と、制御装置とが通信するシステムでは、制御装置に、記録品質等の記録動作に関する設定を行う必要がある。記録動作に関する設定は、記録装置が収容する記録媒体に対応する設定とすることが望ましいが、専門的な知識を有さない者にとっては、記録装置が収容する記録媒体に適した設定が何であるかを把握するのは難しく、また、設定に係る作業が煩雑であった。
本発明は、上述した事情に鑑みてなされたものであり、記録動作に関する設定を簡易化することを目的とする。
【課題を解決するための手段】
【０００５】
上記目的を達成するために、本発明の記録システムは、収容した記録媒体に設けられたＩＣタグから、記録動作に関する情報を無線通信で読み取る無線通信部と、前記記録媒体に記録する記録部と、前記無線通信部の読取結果に基づいて記録動作に関する情報を取得し、取得した情報を制御装置に送信し、また、当該制御装置から受信した制御データに基づいて前記記録部を制御して記録を実行させる制御部と、を有する記録装置と、前記記録装置で送信された記録動作に関する情報を受信し、受信した情報に基づいて記録動作に関する設定を行い、また、記録動作に関する設定に基づいて前記制御データを生成し、生成した前記制御データを前記記録装置に送信する制御装置制御部を有する制御装置と、を備えることを特徴とする。
本発明の構成によれば、記録動作に関する設定が簡易化する。
【０００６】
また、本発明の記録システムは、前記記録装置の前記無線通信部は、前記ＩＣタグに情報を書き込む機能を有し、前記制御装置の前記制御装置制御部は、記録動作に関する設定に変更があった場合、変更の内容を示す情報を前記記録装置に送信し、前記記録装置の前記制御部は、前記無線通信部を制御して、受信した変更の内容を示す情報に基づいて、収容した前記記録媒体に設けられた前記ＩＣタグが記憶する記録動作に関する情報を変更することを特徴とする。
本発明の構成によれば、ユーザーの利便性が向上する。
【０００７】
また、本発明の記録システムは、収容した前記記録媒体に設けられた前記ＩＣタグは、前記記録媒体に関する情報を記憶し、前記記録装置の前記制御部は、前記無線通信部の読取結果に基づいて前記記録媒体に関する情報を取得し、取得した情報に基づいて、前記記録媒体に関する設定を行い、取得した情報を前記制御装置に送信し、前記制御装置の前記制御装置制御部は、前記記録装置で送信された前記記録媒体に関する情報を受信し、受信した情報に基づいて前記記録媒体に関する設定を行うことを特徴とする。
本発明の構成によれば、記録媒体に関する設定を、記録媒体に対応した正確なものとすることができる。
【０００８】
また、本発明の記録システムは、前記無線通信部は、前記ＩＣタグに情報を書き込む機能を有し、前記記録装置の前記制御部は、前記無線通信部を制御して、収容した前記記録媒体に設けられた前記ＩＣタグに、前記記録媒体の残量に関する情報を書き込むことを特徴とする。
本発明の構成によれば、記録媒体に設けられたＩＣタグから情報を読み取ることにより、ロール紙Ｒの残量に関する情報を取得できる。
【０００９】
また、本発明の記録システムは、前記無線通信部は、前記ＩＣタグに情報を書き込む機能を有し、収容した前記記録媒体に設けられた前記ＩＣタグは、前記記録媒体に関する情報を記憶し、前記記録装置は、前記記録媒体に関する情報と、記録動作に関する情報とを対応付けて、１又は複数、記憶する記憶部を有し、前記記録装置の前記制御部は、前記無線通信部の読取結果に基づいて前記記録媒体に関する情報を取得し、取得した前記記録媒体に関する情報と、前記記憶部が記憶する前記記録媒体に関する情報とが一致する場合は、前記無線通信部を制御して、前記記憶部で前記記録媒体に関する情報と対応付けて記憶された記録動作に関する情報に基づいて、収容した前記記録媒体に設けられた前記ＩＣタグが記憶する記録動作に関する情報を変更し、また、取得した前記記録媒体に関する情報と、前記記憶部が記憶する前記記録媒体に関する情報とが一致しない場合は、取得した前記記録媒体に関する情報と、前記無線通信部の読取結果に基づいて取得した記録動作に関する情報とを対応付けて前記記憶部に記憶させることを特徴とする。
本発明の構成によれば、ユーザーの利便性が向上する。
【００１０】
また、上記目的を達成するために、本発明の情報設定方法は、記録装置で、収容した記録媒体に設けられたＩＣタグから、記録動作に関する情報を無線通信で読み取って記録動作に関する情報を取得し、取得した情報を送信し、制御装置で、前記記録装置で送信された記録動作に関する情報を受信し、受信した情報に基づいて記録動作に関する設定を行うことを特徴とする。
本発明の構成によれば、記録動作に関する設定が簡易化する。
【００１１】
また、上記目的を達成するために、本発明の記録装置は、収容した記録媒体に設けられたＩＣタグから、記録動作に関する情報を無線通信で読み取る無線通信部と、前記記録媒体に記録する記録部と、前記無線通信部の読取結果に基づいて記録動作に関する情報を取得し、取得した情報を送信する制御部と、を備えることを特徴とする。
本発明の構成によれば、記録動作に関する設定が簡易化する。
【図面の簡単な説明】
【００１２】
【図１】第１実施形態に係る記録装置の要部の構成を示す図。
【図２】ロール紙の一例を示す図。
【図３】記録システムの機能的構成を示すブロック図。
【図４】記録装置、ホストコンピューターの動作を示すフローチャート。
【図５】タグ情報の説明に利用する図。
【図６】記録装置、ホストコンピューターの動作を示すフローチャート。
【発明を実施するための形態】
【００１３】
以下、図面を参照して本発明の実施形態について説明する。
【００１４】
＜第１実施形態＞
図１は、本実施形態に係る記録装置１の要部の構成を示す図である。
図１を用いた説明では、矢印で示すように、図中で左へ向かう方向を「前方」とし、図中で右へ向かう方向を「後方」とし、図中で上へ向かう方向「上方」とし、図中で下へ向かう方向を「下方」とする。
記録装置１は、シリアルインクジェットプリンターである。記録装置１は、ロール紙Ｒ（記録媒体）を収容し、ロール紙Ｒを繰り出して搬送方向Ｈに搬送する。記録装置１は、搬送するロール紙Ｒに、シリアルインクジェットヘッドとして構成された記録ヘッド１０（記録部）によりインクを吐出して記録を実行する。
【００１５】
図２（Ａ）は、記録装置１に収容されるロール紙Ｒの一例を示す図である。
図２（Ａ）に示すロール紙Ｒは、帯状の剥離紙Ｒ３に、間隔をあけて複数のシール部Ｒ４が貼付されたラベル用紙である。シール部Ｒ４の裏面は、シールとなっており、シール部Ｒ４は剥離紙Ｒ３から取り剥がすことができる。シール部Ｒ４の長手方向の長さは一定である。また、隣接するシール部Ｒ４の間隔は一定である。
シール部Ｒ４に対応する領域が、画像の記録が可能な領域（ドットの形成が可能な領域）である。記録装置１は、シール部Ｒ４にドットを形成して、画像を記録する。
図２（Ａ）に示すように、ロール紙Ｒの裏面には、シール部Ｒ４のそれぞれに対応して、黒色のマークであるブラックマークＢＭが形成される。
図２（Ａ）に示すロール紙Ｒは、シール部Ｒ４を有する複数のラベルが、長手方向に連続して接続された用紙である。各ラベルは、隣接するシール部Ｒ４とシール部Ｒ４との間隙でロール紙Ｒから切り離されて使用される。
【００１６】
本実施形態では、記録装置１には、図２（Ａ）に示すロール紙Ｒが収容される。
【００１７】
図２（Ｂ）は、記録装置１に収容されるロール紙Ｒの別の一例を示す図である。
図２（Ｂ）に示すロール紙Ｒは、帯状のシートに、間隔を開けて、ギャップ部ＧＰが設けられる。ギャップ部ＧＰは、一方の端にシートを切り欠いて形成されたギャップＧと、他方の端にシートを切り欠いて形成されたギャップＧとを備える。隣接するギャップ部ＧＰの間隔は一定である。
図２（Ｂ）に示すロール紙Ｒは、複数のラベルが、ギャップ部ＧＰを境界として、長手方向に連続して接続された用紙である。各ラベルには、画像の記録が可能な領域（ドットの形成が可能な領域）である記録領域Ａ１が形成される。記録装置１は、記録領域Ａ１にドットを形成して、画像を記録する。各ラベルは、ギャップ部ＧＰに対応する位置でロール紙Ｒから切り離されて使用される。
【００１８】
本実施形態では、図２（Ａ）で例示したロール紙Ｒや、図２（Ｂ）で例示したロール紙Ｒのように、複数のラベルが長手方向に連続して接続された用紙を、「カットラベル」と表現する。
【００１９】
図１に示すように、記録装置１は、ロール紙Ｒを収容するロール紙収容部１１を備える。以下の説明では、ロール紙Ｒのうち、ロール紙収容部１１に収容されたロール状の部分を「ロール体Ｒ１」と表現する。また、ロール紙Ｒのうち、ロール紙収容部１１に収容されたロール体Ｒ１から繰り出されて搬送される部分を「搬送ロール紙Ｒ２」と表現する。
【００２０】
図１に示すように、記録装置１には、搬送ロール紙Ｒ２が搬送される経路である搬送経路１３が形成される。ロール体Ｒ１から繰り出された搬送ロール紙Ｒ２は、搬送経路１３に沿って搬送される。
【００２１】
図１に示すように、搬送経路１３には、搬送方向Ｈにおける上流から下流に向かって３つの搬送ローラー１４１、１４２、１４３が設けられる。搬送ローラー１４１、１４２、１４３のそれぞれに対向する位置には、搬送ローラー１４１、１４２、１４３の回転に従動して回転する従動ローラー１５１、１５２、１５３が設けられる。搬送ロール紙Ｒ２は、搬送ローラー１４１、１４２、１４３と、従動ローラー１５１、１５２、１５３とに挟持され、搬送ローラー１４１、１４２、１４３の回転に応じて、搬送方向Ｈに搬送される。搬送ローラー１４１、１４２、１４３は、動力伝達機構を介して搬送モーター３３（図３）と接続されており、搬送モーター３３の駆動に応じて回転する。
【００２２】
図１に示すように、搬送方向Ｈの最も上流側に設けられた搬送ローラー１４１と、搬送ローラー１４１の下流に設けられた搬送ローラー１４２との間には、案内部材１７が設けられる。案内部材１７は、搬送ロール紙Ｒ２の裏面に接触し、上方へ向かって繰り出された搬送ロール紙Ｒ２を、前方に向かうように屈曲させる。案内部材１７は、搬送ロール紙Ｒ２に接触して屈曲させることにより、搬送ロール紙Ｒ２に張りを与え、搬送ロール紙Ｒ２の弛みが発生することを抑制する。
【００２３】
搬送ローラー１４２の搬送方向Ｈにおける下流には、ブラックマークセンサー１８１が設けられる。ブラックマークセンサー１８１は、図２（Ａ）で例示したロール紙Ｒのように、裏面にブラックマークＢＭが形成されたロール紙Ｒが記録装置１に収容される場合に、ブラックマークＢＭを光学的に検出するセンサーである。制御部３０（図３）は、ブラックマークセンサー１８１の検出値に基づいて、当該センサーの検出位置にブラックマークＢＭが位置した場合、そのことを検出する。制御部３０は、検出結果に基づいて、ロール紙Ｒの位置を管理する。
【００２４】
ブラックマークセンサー１８１の搬送方向Ｈにおける下流には、ギャップセンサー１８２が設けられる。ギャップセンサー１８２は、図２（Ｂ）で例示したロール紙Ｒのように、ギャップ部ＧＰが形成されたロール紙Ｒが記録装置１に収容される場合に、ギャップＧを光学的に検出するセンサーである。制御部３０は、ギャップセンサー１８２の検出値に基づいて、当該センサーの検出位置にギャップＧが位置した場合、そのことを検出する。制御部３０は、検出結果に基づいて、ロール紙Ｒの位置を検出する。
【００２５】
ギャップセンサー１８２の搬送方向Ｈにおける下流には、搬送ローラー１４３が設けられ、搬送ローラー１４３の下流には、記録ユニット１９が設けられる。
記録ユニット１９は、キャリッジ２０と、キャリッジ２０に搭載された記録ヘッド１０とを備える。
キャリッジ２０は、搬送方向Ｈと交差する走査方向Ｙに延びたキャリッジ軸２０ａに支持され、キャリッジ軸２０ａに沿って、走査方向Ｙに記録ヘッド１０を走査する。
記録ヘッド１０は、インクジェットヘッドであり、複数色（例えば、ＣＹＭＫの４色）のノズル列を備える。記録ヘッド１０は、図示しないインクカートリッジからインクの供給を受けて、各ノズル列に設けられたノズルからインクを吐出して搬送ロール紙Ｒ２にドットを形成して画像を記録する。
【００２６】
記録ユニット１９の搬送方向Ｈにおける下流には、カッターユニット２１が設けられる。カッターユニット２１は、固定刃２２と、固定刃２２に対して交叉するように移動可能な可動刃２３とを備える。カッターユニット２１は、可動刃２３を移動させて、搬送ロール紙Ｒ２を切断する。
【００２７】
カッターユニット２１の搬送方向Ｈにおける下流には、排紙口２４が設けられる。搬送ロール紙Ｒ２は、排紙口２４を介して、記録装置１の筐体の外に排出される。
【００２８】
図１に示すように、ロール体Ｒ１の後方には、軸２７を中心として回動するカバー２６が設けられる。カバー２６が開状態となるとロール紙収容部１１が露出し、ロール紙Ｒの交換が可能となる。
カバー２６の下部には、カバー開閉機構２８が設けられる。カバー開閉機構２８は、カバー２６が閉状態のときに、カバー開閉スイッチ３６１（図３）が操作された場合、制御部３０の制御に従って、カバー２６を所定方向に回動させて、カバー２６を開状態とする。また、カバー開閉機構２８は、カバー２６が開状態のときに、カバー開閉スイッチ３６１が操作された場合、制御部３０の制御に従って、カバー２６を所定方向に回動させて、カバー２６を閉状態とする。
【００２９】
図１に示すように、ロール体Ｒ１の前方には、タグ通信装置１６（無線通信部）が設けられる。
ここで、本実施形態では、ロール紙Ｒのロール体Ｒ１の芯の内側には、ＲＦＩＤ（Radio frequency identification）タグＲ６（ＩＣタグ）が設けられる。
タグ通信装置１６は、ＲＦＩＤタグＲ６に対して、データの書き込み、及び、データの読み取りを行う装置である。
タグ通信装置１６は、ＲＦＩＤタグＲ６との間で、無線信号を送受信するアンテナ１６ａと、ＲＦ送受信回路が設けられた装置本体１６ｂと、を備える。
ＲＦＩＤタグＲ６は、タグ通信装置１６等の外部の装置から送信される無線信号を受信するアンテナを備え、このアンテナに誘起される電力によりＩＣを駆動する受動型のＩＣタグである。本実施形態のタグ通信装置１６及びＲＦＩＤタグＲ６は所定のプロトコルに従って無線信号を送受信する。
タグ通信装置１６は、ＲＦＩＤタグＲ６に対するデータの書き込み又はデータの読み出しを行う場合、まず、所定周波数の搬送波を送信し、この搬送波に重畳して検出信号を送信する。タグ通信装置１６が送信した搬送波によってＲＦＩＤタグＲ６のアンテナに起電力が誘起されると、この電力によりＲＦＩＤタグＲ６のＩＣがオンに切り替わり、検出信号を受信して、この検出信号に対して応答する信号を送信する。タグ通信装置１６は、ＲＦＩＤタグＲ６が送信した応答信号を受信すると、搬送波の出力を継続しながら、このＲＦＩＤタグＲ６をデータの書き込み及びデータの読み取りの対象として設定する。タグ通信装置１６は、データの書き込み及びデータの読み取りを開始する旨を通知する信号を送信する。その後は、タグ通信装置１６が搬送波の出力を継続しながら、タグ通信装置１６とＲＦＩＤタグＲ６との間で無線信号が送受信され、ＲＦＩＤタグＲ６が記憶するデータの読み取り、及び、ＲＦＩＤタグＲ６に対するデータの書き込みが行われる。
【００３０】
図１に示すように、ロール体Ｒ１の側面に対応する位置には、ニアエンドセンサー２９が設けられる。ニアエンドセンサー２９は、ロール紙Ｒの残量が所定量を下回ったニアエンド状態であることを検出する機械式センサーである。詳述すると、ニアエンドセンサー２９は、ロール体Ｒ１の側面に向かって付勢された突出部２９ａを備える。ロール紙Ｒの残量が十分にある場合は、突出部２９ａがロール体Ｒ１の側面によって押下された状態となり、この突出部２９ａが機械式スイッチを電気的オン状態に作動させ、ニアエンドセンサー２９から、ニアエンド状態でないことを示す信号が出力される。一方で、ロール紙Ｒの残量が所定量を下回り、ロール体Ｒ１の半径が所定の距離よりも短くなると、突出部２９ａが押下された状態が解除され、ニアエンドセンサー２９からニアエンド状態であることを示す信号が出力される。
制御部３０は、ニアエンドセンサー２９からの入力に基づいて、ロール紙Ｒがニアエンド状態であること、又は、ニアエンド状態でないことを検出する。
【００３１】
図３は、本実施形態に係る記録システム２の機能的構成を示すブロック図である。
図３に示すように、記録システム２は、記録装置１と、記録装置１に接続されて記録装置１を制御するホストコンピューター３（制御装置）とを備える。
【００３２】
図３に示すように、記録装置１は、制御部３０と、モーター駆動回路３１と、キャリッジ移動モーター３２と、搬送モーター３３と、カッター駆動モーター３４と、ヘッド駆動回路３５と、入力部３６と、報知部３７と、通信部３８と、記憶部３９と、電子ブザー４０と、を備える。
【００３３】
制御部３０は、ＣＰＵや、ＲＯＭ、ＲＡＭ、その他の制御回路等を備え、記録装置１を制御する。
【００３４】
モーター駆動回路３１は、キャリッジ移動モーター３２と接続する。キャリッジ移動モーター３２は、キャリッジ２０を走査方向Ｙへ移動させるモーターである。制御部３０は、モーター駆動回路３１を制御して、キャリッジ移動モーター３２に駆動電流や駆動パルスを出力し、キャリッジ移動モーター３２を駆動する。キャリッジ移動モーター３２の駆動に応じて、キャリッジ２０に搭載された記録ヘッド１０が走査方向Ｙへ移動する。
【００３５】
モーター駆動回路３１は、搬送モーター３３と接続する。搬送モーター３３は、搬送ローラー１４１、１４２、１４３を回転させるモーターである。制御部３０は、モーター駆動回路３１を制御して、搬送モーター３３に駆動電流や駆動パルスを出力し、搬送モーター３３を駆動する。搬送モーター３３の駆動に応じて、搬送ローラー１４１、１４２、１４３が回転し、搬送ローラー１４１、１４２、１４３の回転に応じて、記録媒体が搬送方向Ｈに搬送される。
【００３６】
モーター駆動回路３１は、カッター駆動モーター３４と接続する。カッター駆動モーター３４は、可動刃２３を移動させるモーターである。制御部３０は、モーター駆動回路３１を制御して、カッター駆動モーター３４に駆動電流や駆動パルスを出力し、カッター駆動モーター３４を駆動する。カッター駆動モーター３４の駆動に応じて、可動刃２３が移動し、搬送ロール紙Ｒ２が切断される。
【００３７】
ヘッド駆動回路３５は、記録ヘッド１０と接続する。ヘッド駆動回路３５は、制御部３０の制御で、記録ヘッド１０のノズルに対応して設けられたアクチュエーターを駆動し、ノズルからインクを吐出させる。ノズルからのインクの吐出に応じて、搬送ロール紙Ｒ２にドットが形成される。
【００３８】
入力部３６は、記録装置１の筐体に設けられた操作スイッチと接続する。入力部３６は、操作スイッチに対する操作を検出し、検出した操作を示す信号を制御部３０に出力する。制御部３０は、入力部３６からの入力に応じて、操作に対応する処理を実行する。
操作スイッチは、カバー開閉スイッチ３６１を有する。入力部３６は、カバー開閉スイッチ３６１に対する操作を検出し、検出した操作を示す信号を制御部３０に出力する。制御部３０は、入力に基づいてカバー開閉スイッチ３６１が操作されたことを検出する。制御部３０は、カバー２６が閉状態のときに、カバー開閉スイッチ３６１が操作されたことを検出した場合、カバー開閉機構２８を制御して、カバー２６を開状態とする。また、制御部３０は、カバー２６が開状態のときに、カバー開閉スイッチ３６１が操作されたことを検出した場合、カバー開閉機構２８を制御して、カバー２６を閉状態とする。
【００３９】
報知部３７は、ＬＥＤ部３７１と、表示部３７２と、を備える。
ＬＥＤ部３７１は、複数のＬＥＤを備える。ＬＥＤ部３７１は、制御部３０の制御で、複数のＬＥＤを所定の態様で点灯／消灯し、動作モードや、エラーの発生の有無等の記録装置１の状態を報知する。
表示部３７２は、液晶表示パネルを備える。表示部３７２は、制御部３０の制御で、表示部３７２に情報を表示する。
【００４０】
通信部３８は、制御部３０の制御で、ホストコンピューター３と所定の通信規格に準拠して通信する。
【００４１】
記憶部３９は、不揮発性メモリーを備え、各種データを記憶する。記憶部３９には、後述する設定ファイル３９１が記憶される。
【００４２】
電子ブザー４０は、制御部３０の制御で、電子音を音声出力する。
【００４３】
また、上述したように、記録装置１は、ブラックマークセンサー１８１を備える。ブラックマークセンサー１８１は、所定の周期で、検出値を制御部３０に出力する。制御部３０は、ブラックマークセンサー１８１からの入力に基づいて、ブラックマークセンサー１８１の検出位置にブラックマークＢＭが位置したことを検出する。
【００４４】
また、上述したように、記録装置１は、ギャップセンサー１８２を備える。ギャップセンサー１８２は、所定の周期で、検出値を制御部３０に出力する。制御部３０は、ギャップセンサー１８２からの入力に基づいて、ギャップセンサー１８２の検出位置にブラックマークＢＭが位置したことを検出する。
【００４５】
また、上述したように、記録装置１は、タグ通信装置１６を備える。制御部３０は、タグ通信装置１６を制御して、収容したロール紙Ｒに設けられたＲＦＩＤタグＲ６にデータを書き込み、また、ＲＦＩＤタグＲ６からデータを読み取る。
【００４６】
また、上述したように、記録装置１は、ニアエンドセンサー２９を備える。制御部３０は、ニアエンドセンサー２９からの入力に基づいて、ロール紙Ｒがニアエンド状態であること、又は、二アンド状態でないことを検出する。
【００４７】
図３に示すように、ホストコンピューター３は、制御装置制御部５０と、制御装置入力部５１と、制御装置表示部５２と、制御装置記憶部５３と、制御装置通信部５４と、を備える。
【００４８】
制御装置制御部５０は、ＣＰＵや、ＲＯＭ、ＲＡＭ、その他の制御回路等を備え、ホストコンピューター３を制御する。
【００４９】
制御装置入力部５１は、キーボードや、マウス等の入力デバイスに接続され、入力デバイスからの入力を検出して、制御装置制御部５０に出力する。制御装置制御部５０は、制御装置入力部５１からの入力に基づいて、入力に対応する処理を実行する。
【００５０】
制御装置表示部５２は、液晶表示パネル等の表示装置に接続され、制御装置制御部５０の制御で、表示装置に各種情報を表示する。
【００５１】
制御装置記憶部５３は、不揮発性メモリーを備え、各種データを記憶する。
【００５２】
制御装置通信部５４は、制御装置制御部５０の制御で、所定の通信規格に従って、記録装置１と通信する。
【００５３】
ここで、記録装置１にロール紙Ｒが収容された場合、記録装置１、及び、ホストコンピューター３に、収容されたロール紙Ｒに関する設定（以下、「記録媒体に関する設定」という。）を行う必要がある。記録媒体に関する設定とは、ロール紙Ｒに関する複数の設定項目（以下、「媒体設定項目」という。）に設定値をセットすることである。
記録装置１の記憶部３９には、設定ファイル３９１が記憶される。設定ファイル３９１には、媒体設定項目と、設定値との組み合わせが記録される。記録装置１に対する記録媒体に関する設定とは、具体的には、設定ファイル３９１に記録された媒体設定項目に対して、収容したロール紙Ｒに対応する設定値をセットすることである。
また、ホストコンピューター３の制御装置記憶部５３は、制御用設定ファイル５３１が記憶される。制御用設定ファイル５３１には、媒体設定項目と、設定値との組み合わせが記録される。ホストコンピューター３に対する記録媒体に関する設定とは、具体的には、制御用設定ファイル５３１に記録された媒体設定項目に対して、記録装置１に収容したロール紙Ｒに対応する設定値をセットすることである。
【００５４】
本実施形態では、媒体設定項目として、ロール紙Ｒの種類（以下、「用紙種類」という。）を示す媒体設定項目「用紙種類」がある。媒体設定項目「用紙種類」には、設定値として、設定値「普通紙」、設定値「合成紙」、設定値「マット紙」、設定値「光沢紙」、又は、設定値「リストバンド」のいずれかがセットされる。
【００５５】
また、媒体設定項目として、ロール紙Ｒの形態（以下、「用紙形態」という。）を示す媒体設定項目「用紙形態」がある。媒体設定項目「用紙形態」には、設定値として、設定値「カットラベル（ギャップ基準）」、設定値「カットラベル（ブラックマーク基準）」、設定値「全面ラベル」、又は、設定値「連続紙」のいずれかがセットされる。
なお、設定値「カットラベル（ギャップ基準）」は、図２（Ｂ）で例示したロール紙Ｒのように、ギャップ部ＧＰが形成されたロール紙Ｒが記録装置１に収容される場合に、媒体設定項目「用紙形態」にセットされる設定値である。当該設定値がセットされる場合、制御部３０は、ギャップセンサー１８２からの入力に基づいて、ロール紙Ｒの位置を管理する。
【００５６】
また、設定値「カットラベル（ブラックマーク基準）」は、図２（Ａ）で例示したロール紙Ｒのように、ブラックマークＢＭが設けられたロール紙Ｒが記録装置１に収容される場合に、媒体設定項目「用紙形態」にセットされる設定である。当該設定値がセットされる場合、制御部３０は、ブラックマークセンサー１８１からの入力に基づいて、ロール紙Ｒの位置を管理する。
【００５７】
また、媒体設定項目として、ロール紙Ｒの短手方向の長さ（以下、「用紙幅」という。）を示す媒体設定項目「用紙幅」がある。媒体設定項目「用紙幅」には、設定値として、３０ｍｍ〜１２０ｍｍの範囲で、用紙幅の値がセットされる。
【００５８】
また、媒体設定項目として、ロール紙Ｒがカットラベルの場合に設定値がセットされる項目であって、ロール紙Ｒを構成するラベルの長手方向の長さ（以下、「用紙長さ」という。）を示す媒体設定項目「用紙長さ」がある。図２（Ａ）の例では、長さＬ１が、用紙長さに相当する。また、図２（Ｂ）の例では、長さＬ２が、用紙長さに該当する。媒体設定項目「用紙長さ」には、設定値として、１５ｍｍ〜１１１７ｍｍの範囲で、用紙長さの値がセットされる。
【００５９】
また、媒体設定項目として、ロール紙Ｒがカットラベルの場合に設定値がセットされる項目であって、ラベルにおいて画像の記録が可能な領域（ドットの形成が可能な領域）の端手方向の長さ（以下、「記録幅」という。）を示す媒体設定項目「記録幅」がある。図２（Ａ）の例では、長さＬ３が、記録幅に相当する。また、図２（Ｂ）の例では、長さＬ４が、記録幅に相当する。媒体設定項目「記録幅」には、設定値として、２５ｍｍ〜１０８ｍｍの範囲で、記録幅の値がセットされる。
【００６０】
また、媒体設定項目として、ロール紙Ｒがカットラベルの場合に設定値がセットされる項目であって、ラベルにおいて画像の記録が可能な領域（ドットの形成が可能な領域）の長手方向の長さ（以下、「記録長さ」という。）を示す媒体設定項目「記録長さ」がある。図２（Ａ）の例では、長さＬ５が、記録長さに相当する。また、図２（Ｂ）の例では、長さＬ６が、記録長さに相当する。媒体設定項目「記録長さ」には、設定値として、１５ｍｍ〜１１１７ｍｍの範囲で、記録長さの値がセットされる。
【００６１】
また、媒体設定項目として、ロール紙Ｒが図２（Ａ）で例示したロール紙Ｒのように間隔をあけてシール部Ｒ４が設けられた用紙の場合に設定値がセットされる項目であって、シール部Ｒ４とシール部Ｒ４との間隙の長さ（以下、「ラベル間ギャップ」という。）を示す媒体設定項目「ラベル間ギャップ」がある。媒体設定項目「ラベル間ギャップ」には、設定値として、３ｍｍ〜６ｍｍの範囲で、ラベル間ギャップの値がセットされる。
【００６２】
また、媒体設定項目として、ロール紙Ｒが図２（Ａ）で例示したロール紙Ｒのように間隔をあけてブラックマークＢＭが形成された用紙の場合に設定値がセットされる項目であって、隣接するブラックマークＢＭの離間距離（以下、「ブラックマーク間隔」という。）を示す媒体設定項目「ブラックマーク間隔」がある。媒体設定項目「ブラックマーク間隔」には、設定値として、１５ｍｍ〜１１１７ｍｍの範囲で、ブラックマーク間隔の値がセットされる。
【００６３】
以上、媒体設定項目を例示したが、媒体設定項目は例示したものに限らず、記録装置１が収容する記録媒体に関する設定項目であればどのようなものであってもよい。
【００６４】
記録装置１の制御部３０は、設定ファイル３９１に記録された媒体設定項目と、設定値との組み合わせに基づいて、記録装置１に収納されたロール紙Ｒの用紙種類や、用紙形態、ラベルのサイズ、ラベルにおける記録領域の位置等を認識し、ロール紙Ｒに対応する処理を実行する。例えば、制御部３０は、用紙種類や、用紙形態に応じた搬送方法でロール紙Ｒを搬送し、また、用紙幅や用紙幅、記録幅、記録長さに基づいて、ラベルにおける画像を記録する領域を判定し、また、ブラックマーク間隔に基づいてブラックマークセンサー１８１からの入力に基づくロール紙Ｒの位置の管理を実行する。
【００６５】
また、ホストコンピューター３の制御装置制御部５０は、制御用設定ファイル５３１に記録された媒体設定項目と、設定値との組み合わせに基づいて、記録装置１に収容されたロール紙Ｒの用紙種類や、用紙形態、ラベルのサイズ、ラベルにおける記録領域の位置等を認識し、当該認識に基づいて記録装置１を制御する。例えば、制御装置制御部５０は、制御データの生成に際し、用紙種類や、用紙形態、ラベルのサイズ、ラベルにおける記録領域の位置等を反映した制御データ（後述）を生成する。
【００６６】
また、記録装置１によるロール紙Ｒへの記録を開始する前に、ホストコンピューター３に、記録動作に関する設定を行う必要がある。記録動作に関する設定とは、記録動作に関する複数の設定項目（以下、「動作設定項目」という。）に設定値をセットすることである。動作設定項目と、設定値との組み合わせは、ホストコンピューター３の制御用設定ファイル５３１に記録される。
【００６７】
本実施形態では、動作設定項目として、記録結果の品質の度合い（以下、「記録品質」という。）を示す動作設定項目「記録品質」がある。動作設定項目「記録品質」には、設定値として、最も高い品質を示す設定値「高品質」、最も低い品質を示す設定値「低品質」のいずれかがセットされる。なお、動作設定項目「記録品質」に設定値「低品質」がセットされる場合、設定値「高品質」がセットされる場合と比較して、記録結果の品質が劣る一方、記録に係る処理が高速で行われ、記録が完了するまでに要する時間が短い。
【００６８】
また、動作設定項目として、ロール紙Ｒを切断するときのルール（以下、「用紙カットルール」という。）を示す動作設定項目「用紙カットルール」がある。動作設定項目「用紙カットルール」には、設定値として、設定値「ノーカット」、設定値「毎ラベルカット」、設定値「指定ラベル数カット」、及び、設定値「指定なし」のいずれかがセットされる。
設定値「ノーカット」は、収容されるロール紙Ｒがカットラベルの場合であって、複数のラベルに連続して画像の記録を行う場合に、ラベルへの連続した画像の記録をしている間は、ロール紙Ｒの切断を行わないことを示す設定値である。
設定値「毎ラベルカット」は、収容されるロール紙Ｒがカットラベルの場合であって、複数のラベルに連続して画像の記録を行う場合に、１枚のラベルへの画像の記録が完了する度に、ロール紙Ｒの切断を行うことを示す設定値である。
設定値「指定ラベル数カット」は、収容されるロール紙Ｒがカットラベルの場合であって、複数のラベルに連続して画像の記録を行う場合に、予め指定された枚数のラベルへの画像の記録が完了する度に、ロール紙Ｒの切断を行うことを示す設定値である。
【００６９】
また、動作設定項目として、記録が完了したときに、電子音を音声出力するか否か（以下、「完了通知有無」という。）を示す動作設定項目「完了通知有無」がある。動作設定項目「完了通知有無」には、設定値として、記録が完了したときに電子音を音声出力することを示す設定値「通知有」と、音声出力しないことを示す設定値「通知無」とのいずれかがセットされる。
記録装置１は、電子ブザー４０を制御して、所定の態様で電子音を音声出力することにより、記録が完了したことを報知する。
【００７０】
以上、動作設定項目を例示したが、動作設定項目は例示したものに限らない。例えば、例示した動作設定項目に加えて、ラベルの記録領域に画像を記録するときに基準とする位置に関する動作設定項目があってもよい。すなわち、記録装置１の記録動作に関する設定項目であれば何でもよい。
【００７１】
ホストコンピューター３の制御装置制御部５０は、制御用設定ファイル５３１に記録された動作設定項目と、設定値との組み合わせに基づいて、制御データ（後述）を生成し、制御データを記録装置１に送信して、記録装置１を制御する。例えば、制御装置制御部５０は、制御データの生成に際し、動作設定項目「記録品質」にセットされた設定値が示す記録品質に対応した速度で記録を実行させる制御データを生成する。また例えば、制御装置制御部５０は、動作設定項目「用紙カットルール」にセットされた設定値が示す用紙カットルールに対応してロール紙Ｒの切断が行われるように、制御データを生成する。
【００７２】
以上のように、ロール紙Ｒを記録装置１に収容した場合、記録装置１、及び、ホストコンピューター３に、収容したロール紙Ｒに対応した記録媒体に関する設定を行う必要がある。そして、記録媒体に関する設定に誤りがある場合、換言すれば、いずれかの媒体設定項目に対して誤った設定値がセットされた場合、想定した位置と異なる位置に画像が記録される等のエラーが発生する可能性がある。従って、記録媒体に関する設定は、収容したロール紙Ｒに即して、正確に行われなければならない。
また、ロール紙Ｒの用紙種類や、用紙形態によって、適切な記録品質や、用紙カットルール等は異なる。一方で、専門的な知識を有さない者にとっては、記録装置１にロール紙Ｒを収容したときに、ロール紙Ｒに適した設定が何であるかを把握するのは難しく、また、設定に係る作業が煩雑であった。従って、記録動作に関する設定の簡易化が求められていた。
以上を踏まえ、記録装置１へのロール紙Ｒの収容に際し、記録装置１、及び、ホストコンピューター３は、以下の処理を実行する。
【００７３】
図４は、記録装置１に新たにロール紙Ｒを収容する場合の、記録装置１、及び、ホストコンピューター３の動作を示すフローチャートであり、（Ａ）は記録装置１の動作を、（Ｂ）はホストコンピューター３の動作を示す。
【００７４】
図４（Ａ）のフローチャートの前に、ユーザーにより、以下の処理が行われる。
すなわち、ユーザーは、記録装置１にロール紙Ｒを収容する。ユーザーは、記録装置１にロール紙Ｒを収容する際、カバー開閉スイッチ３６１を操作して、カバー２６を開状態とした後、所定の方法で、ロール紙収容部１１にロール体Ｒ１を収容し、ロール体Ｒ１から繰り出される搬送ロール紙Ｒ２を、搬送経路１３に沿って延在させる。
【００７５】
図４（Ａ）に示すように、記録装置１の制御部３０は、ＲＦＩＤ読取処理（後述）の実行が指示されたか否かを監視する（ステップＳＡ１）。ＲＦＩＤ読取処理の実行の指示は、記録装置１の筐体に設けられた操作スイッチが所定の態様で操作されることにより行われる。ユーザーは、記録装置１にロール紙Ｒを収容した後、記録装置１による記録が実行される前に、操作スイッチを所定の態様で操作して、ＲＦＩＤ読取処理の実行を指示する。
【００７６】
ＲＦＩＤ読取処理の実行が指示された場合（ステップＳＡ１：ＹＥＳ）、制御部３０は、ＲＦＩＤ読取処理を実行する（ステップＳＡ２）。
詳述すると、ステップＳＡ２で、制御部３０は、タグ通信装置１６を制御して、ＲＦＩＤタグＲ６と無線通信させ、ＲＦＩＤタグＲ６の所定の記憶領域に記憶されたタグ情報（後述）を読み取らせる。タグ通信装置１６は、ＲＦＩＤタグＲ６から読み取ったタグ情報を制御部３０に出力する。
【００７７】
ＲＦＩＤ読取処理の実行後、制御部３０は、タグ通信装置１６から入力されたタグ情報に基づいて、媒体設定情報、及び、動作設定情報を取得する（ステップＳＡ３）。
以下、タグ情報について説明し、次いで、媒体設定情報、及び、動作設定情報について説明する。
【００７８】
図５（Ａ）は、タグ情報の一例を示す図であり、図５（Ｂ）は、タグ情報の説明に利用する図である。
図５（Ａ）に示すように、タグ情報は、２４桁の数値である。
【００７９】
図５（Ｂ）に示すように、タグ情報の１桁目の数値は、ロール紙Ｒの用紙種類を示す。具体的には、「０」はロール紙Ｒの用紙種類が普通紙であることを示し、「１」はロール紙Ｒの用紙種類が合成紙であることを示し、「２」はロール紙Ｒの用紙種類がマット紙であることを示し、「３」はロール紙Ｒの用紙種類が光沢紙であることを示し、「４」はロール紙Ｒの用紙種類がリストバンドであることを示す。図５（Ａ）で例示するように、タグ情報の１桁目の数値が「０」である場合、ロール紙Ｒの用紙種類は普通紙であるので、上述した媒体設定項目「用紙種類」には、設定値として、設定値「普通紙」がセットされる必要がある。
【００８０】
図５（Ｂ）に示すように、タグ情報の２桁目の数値は、ロール紙Ｒの用紙形態を示す。具体的には、「０」はロール紙Ｒの用紙形態がカットラベル（ギャップ基準）であることを示し、「１」はロール紙Ｒの用紙形態がカットラベル（ブラックマーク基準）であることを示し、「２」はロール紙Ｒの用紙形態が全面ラベルであることを示し、「３」はロール紙Ｒの用紙形態が連続紙であることを示す。図５（Ａ）で例示するように、タグ情報の２桁目の数値が「１」である場合、ロール紙Ｒの用紙形態はカットラベル（ブラックマーク基準）であるので、上述した媒体設定項目「用紙形態」には、設定値として、設定値「カットラベル（ブラックマーク基準）」がセットされる必要がある。
【００８１】
図５（Ｂ）に示すように、タグ情報の３−５桁目の数値は、ロール紙Ｒの用紙幅を示す。より詳細には、タグ情報の３桁目の数値は用紙幅の値の百の位の数値を示し、４桁目の数値は用紙幅の値の十の位の数値を示し、５桁目の数値は用紙幅の値の一の位の数値を示す。図５（Ａ）で例示するように、タグ情報の３−５桁目の数値が「０８０」である場合、ロール紙Ｒの用紙幅は、「８０ｍｍ」であるので、上述した媒体設定項目「用紙幅」には、設定値「８０ｍｍ」がセットされる必要がある。
【００８２】
図５（Ｂ）に示すように、タグ情報の６−９桁目の数値は、ロール紙Ｒの用紙長さを示す。より詳細には、タグ情報の６桁目の数値は用紙長さの値の千の位の数値を示し、７桁目の数値は用紙長さの値の百の位の数値を示し、８桁目の数値は用紙長さの値の十の位の数値を示し、９桁目の数値は用紙長さの値の一の位の数値を示す。図５（Ａ）で例示するように、タグ情報の６−９桁目の数値が「０９００」である場合、ロール紙Ｒの用紙長さは、「９００ｍｍ」であるので、上述した媒体設定項目「用紙長さ」には、設定値「９００ｍｍ」がセットされる必要がある。
なお、ロール紙Ｒがカットラベルではない場合、タグ情報の６−９桁目には、ヌルデータを表す「００００」がセットされる。
【００８３】
図５（Ｂ）に示すように、タグ情報の１０−１２桁目の数値は、ロール紙Ｒの記録幅を示す。より詳細には、タグ情報の１０桁目の数値は記録幅の値の百の位の数値を示し、１１桁目の数値は記録幅の値の十の位の数値を示し、１２桁目の数値は記録幅の値の一の位の数値を示す。図５（Ａ）で例示するように、タグ情報の１０−１２桁目の数値が「０７０」である場合、ロール紙Ｒの記録幅は、「７０ｍｍ」であるので、上述した媒体設定項目「記録幅」には、設定値「７０ｍｍ」がセットされる必要がある。
なお、ロール紙Ｒがカットラベルではない場合、タグ情報の１０−１２桁目には、ヌルデータを表す「０００」がセットされる。
【００８４】
図５（Ｂ）に示すように、タグ情報の１３−１６桁目の数値は、ロール紙Ｒの記録長さを示す。より詳細には、タグ情報の１３桁目の数値は記録長さの値の千の位の数値を示し、１４桁目の数値は記録長さの値の百の位の数値を示し、１５桁目の数値は記録長さの値の十の位の数値を示し、１６桁目の数値は記録長さの値の一の位の数値を示す。図５（Ａ）で例示するように、タグ情報の１３−１６桁目の数値が「０８５０」である場合、ロール紙Ｒの用紙長さは、「８００ｍｍ」であるので、上述した媒体設定項目「記録長さ」には、設定値「８００ｍｍ」がセットされる必要がある。
なお、ロール紙Ｒがカットラベルではない場合、タグ情報の１３−１６桁目には、ヌルデータを表す「００００」がセットされる。
【００８５】
図５（Ｂ）に示すように、タグ情報の１７桁目の数値は、ロール紙Ｒのラベル間ギャップを示す。図５（Ａ）で例示するように、タグ情報の１７桁目の数値が「５」である場合、ロール紙Ｒのラベル間ギャップは、「５ｍｍ」であるので、上述した媒体設定項目「ラベル間ギャップ」には、設定値「５ｍｍ」がセットされる必要がある。
なお、ロール紙Ｒが、図２（Ａ）で例示したロール紙Ｒのように間隔をあけてシール部Ｒ４が設けられた用紙ではない場合、タグ情報の１７桁目には、ヌルデータを表す「０」がセットされる。
【００８６】
図５（Ｂ）に示すように、タグ情報の１８−２１桁目の数値は、ロール紙Ｒのブラックマーク間隔を示す。より詳細には、タグ情報の１８桁目の数値はブラックマーク間隔の値の千の位の数値を示し、１９桁目の数値はブラックマーク間隔の値の百の位の数値を示し、２０桁目の数値はブラックマーク間隔の値の十の位の数値を示し、２１桁目の数値はブラックマーク間隔の一の位の数値を示す。図５（Ａ）で例示するように、タグ情報の１８−２１桁目の数値が「０９００」である場合、ロール紙Ｒのブラックマーク間隔は、「９００ｍｍ」であるので、上述した媒体設定項目「ブラックマーク間隔」には、設定値「９００ｍｍ」がセットされる必要がある。
なお、ロール紙Ｒが、図２（Ａ）で例示したロール紙Ｒのように間隔をあけてブラックマークＢＭが形成された用紙ではない場合、タグ情報の１８−２１桁目には、ヌルデータを表す「００００」がセットされる。
【００８７】
図５（Ｂ）に示すように、タグ情報の２２桁目の数値は、収納されたロール紙Ｒに画像を記録する場合に推奨される記録品質を示す。具体的には、「０」は推奨される記録品質が「高品質」であることを示し、「１」は推奨される記録品質が「低品質」であることを示す。図５（Ａ）で例示するように、タグ情報の２２桁目の数値が「０」である場合は、推奨される記録品質は「高品質」であるので、上述した動作設定項目「記録品質」には、設定値として、設定値「高品質」がセットされることが推奨される。
【００８８】
図５（Ｂ）に示すように、タグ情報の２３桁目の数値は、収納されたロール紙Ｒに推奨される用紙カットルールを示す。具体的には、「０」は推奨される用紙カットルールが「ノーカット」であることを示し、「１」は推奨される用紙カットルールが「毎ラベルカット」であることを示し、「２」は推奨される用紙カットルールが「指定ラベル数カット」であることを示し、「９」は推奨される用紙カットルールが「指定なし」であることを示す。図５（Ａ）で例示するように、タグ情報の２３桁目の数値が「１」である場合は、推奨される用紙カットルールは、「毎ラベルカット」であるので、上述した動作設定項目「用紙カットルール」には、設定値として、設定値「毎ラベルカット」がセットされることが推奨される。
【００８９】
図５（Ｂ）に示すように、タグ情報の２４桁目の数値は、収納されたロール紙Ｒに推奨される完了通知有無を示す。具体的には、「０」は推奨される完了通知有無が「通知有」であることを示し、「１」は推奨される完了通知有無が「通知無」であることを示す。図５（Ａ）で例示するように、タグ情報の２４桁目の数値が「０」である場合は、推奨される完了通知有無は、「通知有」であるので、上述した動作設定項目「完了通知有無」には、設定値として、設定値「通知有」がセットされることが推奨される。
【００９０】
タグ情報の２５桁目の数値については、後述する。
【００９１】
ステップＳＡ３において、制御部３０は、タグ通信装置１６から入力されたタグ情報の１-２１桁目の数値に基づいて、媒体設定情報を取得する。媒体設定情報とは、媒体設定項目と、ロール紙Ｒに対応した設定値との組み合わせである。例えば、タグ情報が図５（Ａ）に例示する情報である場合、制御部３０は、タグ情報の１桁目の数値に基づいて、媒体設定情報として、媒体設定項目「用紙種類」と、ロール紙Ｒに対応した設定値である設定値「普通紙」との組み合わせを取得する。また例えば、タグ情報が図５（Ａ）に例示する情報である場合、制御部３０は、タグ情報の２桁目の数値に基づいて、媒体設定情報として、媒体設定項目「用紙形態」と、ロール紙Ｒに対応した設定値である設定値「カットラベル（ブラックマーク基準）」との組み合わせを取得する。
【００９２】
また、ステップＳＡ３において、制御部３０は、タグ通信装置１６から入力されたタグ情報の２２−２４桁目の数値に基づいて、動作設定情報を取得する。動作設定情報とは、動作設定項目と、収納されるロール紙Ｒに推奨される設定値との組み合わせである。例えば、タグ情報が図５（Ａ）に例示する情報である場合、制御部３０は、タグ情報の２２桁目の数値に基づいて、動作設定情報として、動作設定項目「記録品質」と、推奨される設定値である設定値「高品質」との組み合わせを取得する。
【００９３】
次いで、制御部３０は、ステップＳＡ３で取得した媒体設定情報に基づいて、設定ファイル３９１の媒体設定項目に設定値をセットする（記録媒体に関する設定を行う）（ステップＳＡ４）。
ステップＳＡ４において、制御部３０は、媒体設定情報における媒体設定項目と設定値との組み合わせと、設定ファイル３９１における媒体設定項目と設定値との組み合わせとが一致するように、設定ファイル３９１の内容を書き換える。
【００９４】
次いで、制御部３０は、報知部３７を制御して、媒体設定項目への設定値のセットが完了したことを報知する（ステップＳＡ５）。報知は、ＬＥＤ部３７１のＬＥＤの駆動により行われてもよく、表示部３７２の表示により行われてもよい。このほか、記録装置１が音声を出力する機能を有する場合は、音声出力により行われてもよい。
【００９５】
次いで、制御部３０は、通信部３８を制御して、ステップＳＡ３で取得した媒体設定情報、及び、動作設定情報をホストコンピューター３に送信する（ステップＳＡ６）。
【００９６】
図４（Ｂ）に示すように、ホストコンピューター３の制御装置制御部５０は、制御装置通信部５４を制御して、媒体設定情報、及び、動作設定情報を受信する（ステップＳＢ１）。
【００９７】
次いで、制御装置制御部５０は、受信した情報に基づいて、記録媒体に関する設定、及び、記録動作に関する設定を行う（ステップＳＢ２）。具体的には、制御装置制御部５０は、受信した媒体設定情報に基づいて、制御用設定ファイル５３１の媒体設定項目に設定値をセットする。また、制御装置制御部５０は、受信した動作設定情報に基づいて、制御用設定ファイル５３１の動作設定項目に設定値をセットする。
【００９８】
以上のように、本実施形態では、ロール紙Ｒに、タグ情報を記憶するＲＦＩＤタグＲ６が設けられる。また、記録装置１は、ＲＦＩＤタグＲ６から、無線通信により、情報を読み取ることが可能なタグ通信装置１６を備える。
そして、記録装置１は、ロール紙Ｒが収容されたときに、指示に応じて、タグ情報をタグ通信装置１６により読み取る。記録装置１は、読取結果に基づいて、タグ情報を取得し、タグ情報に基づいて、媒体設定情報、及び、動作設定情報を取得する。記録装置１は、取得した媒体設定情報に基づいて、記録媒体に関する設定を実行する。また、記録装置１は、媒体設定情報、及び、動作設定情報をホストコンピューター３に送信する。
ホストコンピューター３は、受信した媒体設定情報に基づいて、記録媒体に関する設定を実行する。また、ホストコンピューター３は、受信した動作設定情報に基づいて、記録動作に関する設定を実行する。
このような構成のため、ユーザーが、記録媒体に関する設定を手動で行う場合に起こり得る設定の誤りが発生せず、設定される媒体設定項目と設定値との組み合わせを、記録装置１が収納するロール紙Ｒに対応した正確なものとすることができる。
また、上記構成のため、ロール紙Ｒを記録装置１に収容したときに、推奨される記録動作に関する設定が、ホストコンピューター３に対して、自動で行われる。このため、ユーザーが専門的な知識を有さない場合であっても、ホストコンピューター３に、推奨される記録動作に関する設定を行うことができる。
また、上記構成のため、ユーザーは、記録媒体に関する設定、及び、記録動作に関する設定を、手動で行う必要がなく、ユーザーの作業負担が軽減する。
【００９９】
次に、ロール紙Ｒが収容された後の記録装置１の動作について説明する。
ここで、タグ情報の２５桁目の数値は、ロール紙Ｒの残量を表す数値である。具体的には、「０」はロール紙Ｒがニアエンド状態でない状態（以下、「通常状態」という。）であることを示し、「１」はロール紙Ｒがニアエンド状態であることを示す。
ロール紙Ｒに設けられたＲＦＩＤタグＲ６が記憶するタグ情報の２５桁目の数値の初期値は、「０」である。
【０１００】
記録装置１の制御部３０は、記録装置１の電源がオンの間、ニアエンドセンサー２９からの入力に基づいて、ロール紙Ｒの状態が、通常状態からニアエンド状態へと移行したか否か監視する。ニアエンド状態へ移行した場合、制御部３０は、タグ通信装置１６を制御して、ＲＦＩＤタグＲ６と通信させ、ＲＦＩＤタグＲ６が記憶するタグ情報の２２桁目を「０」から「１」へと書き換えさせる。
【０１０１】
以上の処理が行われることにより、以下の効果を奏する。
すなわち、記録装置１から、ロール紙Ｒを取り出して、他のロール紙Ｒを収容した場合、取り出したロール紙Ｒがニアエンド状態であるか否かは、ロール紙Ｒの見た目では正確にわからない。この場合に、ロール紙ＲのＲＦＩＤタグＲ６に記憶されたタグ情報を、所定の読取手段により読み取らせて、読取結果を所定の表示手段に表示させることにより、ユーザーは、ロール紙Ｒがニアエンド状態であるか否かを確実かつ簡易に把握できる。
【０１０２】
なお、ロール紙Ｒに設けられたＲＦＩＤタグＲ６のタグ情報の２５桁目の数値を書き換えるタイミングは、ロール紙Ｒの状態が変化したときに限らず、例えば、カバー開閉スイッチ３６１が操作されて、カバー２６の開状態への移行が指示されたときであってもよい。
【０１０３】
次に、ホストコンピューター３に対して、動作設定項目の設定値の変更が指示された場合の、ホストコンピューター３、及び、記録装置１の動作について説明する。
【０１０４】
図６は、ホストコンピューター３に対して、動作設定項目の設定値の変更が指示された場合の、ホストコンピューター３、及び、記録装置１の動作を示すフローチャートである。（Ａ）は記録装置１の動作を示し、（Ｂ）はホストコンピューター３の動作を示す。
【０１０５】
ここで、ホストコンピューター３には、記録装置１の制御用のプリンタードライバーが事前にインストールされる。プリンタードライバーは、動作設定項目の設定値を変更するユーザーインターフェースを提供する機能を有する。ユーザーは、プリンタードライバーの機能によって提供されるユーザーインターフェースを利用して、動作設定項目の設定値を変更する。
【０１０６】
図６（Ｂ）に示すように、ホストコンピューター３の制御装置制御部５０は、動作設定項目の設定値の変更の指示があったか否かを監視する（ステップＳＤ１）。
【０１０７】
動作設定項目の設定値の変更の指示があった場合（ステップＳＤ１：ＹＥＳ）、制御装置制御部５０は、指示に応じて、制御用設定ファイル５３１の内容を書き換える（ステップＳＤ２）。
【０１０８】
次いで、制御装置制御部５０は、制御用設定ファイル５３１を参照し、変更後の動作設定情報（変更の内容を示す情報）を取得する（ステップＳＤ３）。
上述したように、動作設定情報は、動作設定項目と設定値との組み合わせである。変更後の動作設定情報は、所定の動作設定項目の設定値が変更されている。
【０１０９】
次いで、制御装置制御部５０は、制御装置通信部５４を制御して、ステップＳＤ３で取得した変更後の動作設定情報を、記録装置１に送信する（ステップＳＤ４）。
なお、本実施形態では、ホストコンピューター３は、ステップＳＤ４で、動作設定情報を送信するが、変更された設定値に関する情報を送信してもよい。
【０１１０】
図６（Ａ）に示すように、記録装置１の制御部３０は、通信部３８を制御して、変更後の動作設定情報を受信する（ステップＳＣ１）。
【０１１１】
次いで、制御部３０は、タグ通信装置１６を制御して、ＲＦＩＤタグＲ６と無線通信させ、ステップＳＣ１で受信した動作設定情報に基づいて、ＲＦＩＤタグＲ６が記憶するタグ情報を書き換える（ステップＳＣ２）。
詳述すると、制御部３０は、タグ情報の２２−２４桁目の数値について、ステップＳＣ１で受信した動作設定情報の内容に対応するよう、各桁の数値を必要に応じて変更する。
【０１１２】
以上のように、ホストコンピューター３は、動作設定情報に変更があった場合は、変更後の動作設定情報を記録装置１に送信する。記録装置１は、受信した変更後の動作設定情報に基づいて、ＲＦＩＤタグＲ６が記憶するタグ情報を書き換える。
これにより、ＲＦＩＤタグＲ６が記憶するタグ情報に基づく動作設定情報と、ホストコンピューター３の制御用設定ファイル５３１に記録された動作設定情報との同一性が維持される。
この構成により、以下の効果を奏する。すなわち、ユーザーは、１のロール紙Ｒを他のロール紙Ｒに交換する場合があり、その後、再び、当該１のロール紙Ｒを収容する場合がある。以下、記録装置１から取り出したロール紙Ｒを、再び、記録装置１に収容することを「再収容」と表現する。
そして、上記構成によれば、ユーザーは、ロール紙Ｒを再収容するときに、記録動作に関する設定について、ホストコンピューター３に対して、交換前の設定と同じ設定を簡易に行うことができる。具体的には、ユーザーは、ロール紙Ｒを再収容した後、ＲＦＩＤ読取処理の実行を指示する。すると、記録装置１、及び、ホストコンピューター３は、図４のフローチャートを用いて説明した処理を実行する。これにより、ホストコンピューター３に、自動で、記録動作に関する設定が行われる。そして、ＲＦＩＤタグＲ６が記憶するタグ情報に基づく動作設定情報は、ロール紙Ｒの交換前にユーザーによる設定値の変更があった場合は、当該変更を反映した情報である。従って、ロール紙Ｒの再収容時に、ホストコンピューター３には、自動で、交換前の記録動作に関する設定と同様の設定が行われる。ここで、ロール紙Ｒを交換により取り出す前の設定は、ユーザーが行った変更を反映した設定であり、ユーザーが望む設定である可能性が高い。そして、本実施形態によれば、ユーザーが望む可能性が高い設定が自動で行われるため、その後、ユーザーが新たに設定の変更を行う必要が生じる可能性が低く、ユーザーの利便性が高い。
【０１１３】
次に、記録を実行するときの記録装置１、及び、ホストコンピューター３の基本的な動作について説明する。
記録装置１に記録を実行させる際、ホストコンピューター３の制御装置制御部５０は、記録装置１に記録させる画像の画像データを生成する。次いで、制御装置制御部５０は、画像データを含み、画像データに基づく記録の実行を指示する制御データを生成する。制御データの生成に際し、制御装置制御部５０は、制御用設定ファイル５３１に記録された媒体設定情報、及び、動作設定情報を参照し、媒体設定情報、及び、動作設定情報が示す設定に従った制御データを生成する。制御データは、プリンタードライバーの機能により、記録装置１のコマンド体系に従ったコマンドを用いて生成される。ホストコンピューター３の制御装置制御部５０は、制御装置通信部５４を制御して、生成した制御データを記録装置１に送信する。
【０１１４】
記録装置１の制御部３０は、通信部３８を制御して、制御データを受信する。次いで、制御部３０は、受信した制御データに含まれる画像データを画像バッファーに展開する。次いで、制御部３０は、画像バッファーに展開した画像データに基づいて、モーター駆動回路３１、及び、ヘッド駆動回路３５を制御して、記録ヘッド１０、キャリッジ２０、搬送ローラー１４１、１４２、１４３、カッターユニット２１を駆動し、ロール紙Ｒに記録する。ロール紙Ｒへの記録に際し、制御部３０は、設定ファイル３９１に記録された媒体設定情報を参照し、相対設定情報が示す設定に従って、各部を制御して、ロール紙Ｒへの記録を実行する。
【０１１５】
より詳細には、制御部３０は、モーター駆動回路３１を制御して、搬送モーター３３を駆動し、搬送ローラー１４１、１４２、１４３を回転させて、搬送ロール紙Ｒ２を搬送方向Ｈに搬送する。搬送ロール紙Ｒ２の搬送中、制御部３０は、ブラックマークセンサー１８１からの入力に基づいて、搬送ロール紙Ｒ２の位置を管理する。画像を記録する場合、制御部３０は、モーター駆動回路３１を制御して、シール部Ｒ４の画像を記録する領域が、記録ヘッド１０の記録位置に位置するように、搬送ロール紙Ｒ２の搬送を停止する。次いで、制御部３０は、モーター駆動回路３１を制御して、キャリッジ移動モーター３２を駆動し、キャリッジ２０を走査方向Ｙにおける一方向に移動させる。キャリッジ２０の移動中、制御部３０は、画像バッファーに展開した画像データに基づいて、ヘッド駆動回路３５を制御して、記録ヘッド１０を駆動し、適切なタイミングで適切なノズルからインクを吐出してドットを形成する。これにより、シール部Ｒ４に、所定の色のドットが形成され、画像が記録される。
制御部３０は、記録ヘッド１０の記録位置にシール部Ｒ４の画像を記録する領域を位置させる搬送、キャリッジ２０の走査方向Ｙへの移動、及び、キャリッジ２０の移動に伴う記録ヘッド１０の駆動を繰り返し行って、シール部Ｒ４に連続して画像を記録する。
【０１１６】
以上説明したように、本実施形態に係る記録システム２は、記録装置１と、ホストコンピューター３（制御装置）とを備える。
記録装置１は、収容したロール紙Ｒ（記録媒体）に設けられたＲＦＩＤタグＲ６（ＩＣタグ）から、情報を無線通信で読み取るタグ通信装置１６（無線通信部）と、ロール紙Ｒに記録する記録ヘッド１０（記録部）と、タグ通信装置１６の読取結果に基づいて動作設定情報（記録動作に関する情報）を取得し、取得した情報を送信し、また、ホストコンピューター３から受信した制御データに基づいて記録ヘッド１０を制御して記録を実行させる制御部３０と、を有する。
ホストコンピューター３は、記録装置１で送信された動作設定情報を受信し、受信した情報に基づいて記録動作に関する設定を行い、また、記録動作に関する設定に基づいて制御データを生成し、生成した制御データを記録装置１に送信する制御装置制御部５０を有する。
この構成によれば、ロール紙Ｒを記録装置１に収容したときに、推奨される記録動作に関する設定が、ホストコンピューター３に対して、自動で行われる。このため、ユーザーが専門的な知識を有さない場合であっても、ホストコンピューター３に、推奨される記録動作に関する設定を行うことができる。これにより、記録動作に関する設定が簡易化する。
また、上記構成のため、ユーザーは、記録動作に関する設定を、手動で行う必要がなく、ユーザーの作業負担が軽減する。
【０１１７】
また、本実施形態では、ホストコンピューター３の制御装置制御部５０は、記録動作に関する設定に変更があった場合、変更後の動作設定情報（変更の内容を示す情報）を記録装置１に送信する。記録装置１の制御部３０は、タグ通信装置１６を制御して、受信した変更後の動作設定情報に基づいて、収容したロール紙Ｒに設けられたＲＦＩＤタグＲ６が記憶するタグ情報を変更する。
この構成によれば、ＲＦＩＤタグＲ６が記憶するタグ情報に基づく動作設定情報と、ホストコンピューター３の制御用設定ファイル５３１に記録された動作設定情報との同一性が維持される。これにより、上述したように、ロール紙Ｒの再収容時に、ユーザーが望む可能性が高い設定が自動で行われるため、その後、ユーザーが新たに設定の変更を行う必要が生じる可能性が低く、ユーザーの利便性が高い。
【０１１８】
また、本実施形態では、記録装置１の制御部３０は、タグ通信装置１６の読取結果に基づいて媒体設定情報を取得し、取得した情報に基づいて、記録媒体に関する設定を行い、取得した情報をホストコンピューター３送信する。
ホストコンピューター３の制御装置制御部５０は、記録装置１で送信された媒体設定情報を受信し、受信した情報に基づいて記録媒体に関する設定を行う。
この構成によれば、ユーザーが、記録媒体に関する設定を手動で行う場合に起こり得る設定の誤りが発生せず、設定される媒体設定項目と設定値との組み合わせを、記録装置１が収納するロール紙Ｒに対応した正確なものとすることができる。
また、上記構成のため、ユーザーは、記録媒体に関する設定を、手動で行う必要がなく、ユーザーの作業負担が軽減する。
【０１１９】
また、本実施形態では、記録装置１の制御部３０は、タグ通信装置１６を制御して、収容したロール紙Ｒに設けられたＲＦＩＤタグＲ６に、ロール紙Ｒの残量に関する情報を書き込む。
この構成によれば、ロール紙Ｒに設けられたＲＦＩＤタグＲ６からタグ情報を読み取ることにより、ロール紙Ｒの残量に関する情報を取得できる。
【０１２０】
＜第２実施形態＞
次に、第２実施形態について説明する。
記録装置１、及び、ホストコンピューター３が以下の処理を実行する構成であってもよい。
【０１２１】
記録装置１の制御部３０は、ＲＦＩＤ読取処理の実行が指示された場合、ＲＦＩＤ読取処理を実行する。次いで、制御部３０は、タグ通信装置１６の読取結果に基づいて、媒体設定情報、及び、動作設定情報を取得する。
次いで、制御部３０は、記憶部３９が記憶する設定テーブルを参照する。設定テーブルとは、媒体設定情報と、動作設定情報とを対応付けたレコードを、１又は複数、有するテーブルである。設定テーブルのレコードが生成されるタイミング、生成方法については後述する。
ここで、ロール紙Ｒの種別が異なれば、媒体設定情報が異なるため、媒体設定情報は、ロール紙Ｒの識別情報として利用できる。
【０１２２】
次いで、制御部３０は、取得した媒体設定情報と、設定テーブルに記憶された媒体設定情報とに一致するものがあるか否かを判別する。
一致するものがあれば、制御部３０は、タグ通信装置１６を制御して、設定テーブルで媒体設定情報と対応付けられた動作設定情報に基づいて、ＲＦＩＤタグＲ６が記憶するタグ情報を書き換える。次いで、制御部３０は、設定テーブルで媒体設定情報と対応付けられた動作設定情報に基づいて、記録動作に関する設定を行う。次いで、制御部３０は、設定テーブルで媒体設定情報と対応づけられた動作設定情報と、媒体設定情報とを、ホストコンピューター３に送信する。ホストコンピューター３の制御装置制御部５０は、受信した動作設定情報に基づいて記録動作に関する設定を行う。また、制御装置制御部５０は、受信した媒体設定情報に基づいて記録媒体に関する設定を行う。
【０１２３】
一方、一致するものがなければ、制御部３０は、設定テーブルに１件のレコードを生成し、当該レコードにおいて、タグ通信装置１６の読取結果に基づいて取得した媒体設定情報、及び、動作設定情報を対応付ける。次いで、制御部３０は、タグ通信装置１６の読取結果に基づいて取得した媒体設定情報、及び、動作設定情報をホストコンピューター３に送信する。ホストコンピューター３の制御装置制御部５０は、受信した媒体設定情報に基づいて記録媒体に関する設定を行う。また、制御装置制御部５０は、受信した動作設定情報に基づいて記録動作に関する設定を行う。
【０１２４】
また、ホストコンピューター３の制御装置制御部５０は、上述した第１実施形態と同様、動作設定情報に変更があれば、変更後の動作設定情報を、記録装置１に送信する。記録装置１の制御部３０は、変更後の動作設定情報を受信した場合、設定テーブルにアクセスし、対応するレコードの動作設定情報を、変更後の動作設定情報に変更する。
【０１２５】
記録装置１と、ホストコンピューター３とが以上の処理を行うことにより、以下の効果を奏する。
１の種別のロール紙Ｒが記録装置１に収容されたときに、当該１の種別のロール紙Ｒが過去に収容されたときにユーザーが行った動作設定情報の変更を反映して、記録装置１及びホストコンピューター３に対して記録動作に関する設定を行うことができる。
また、１の種別のロール紙Ｒが、１の記録装置１から取り外されて、当該１の記録装置とは別の他の記録装置１に収容されたときに、当該他の記録装置１、及び、当該他の記録装置１と接続するホストコンピューター３に対して、当該１の記録装置１に当該１の種別のロール紙Ｒが収容されたときに行われた動作設定情報の変更を反映した記録動作に関する設定を行うことできる。
これらにより、ユーザーは、１の種別のロール紙Ｒを記録装置１に収容したときに、当該１の種別のロール紙Ｒに対して過去に行った動作設定情報の変更を行う必要がなく、ユーザーの利便性が向上する。
【０１２６】
なお、上述した実施の形態は、あくまでも本発明の一態様を示すものであり、本発明の範囲内で任意に変形および応用が可能である。
例えば、上述した実施形態では、記録装置１の記録方式は、シリアルインクジェット方式であった。しかしながら、記録装置１の記録方式は、例示したものに限らない。すなわち、記録方式にかかわらず、記録媒体を収納する記録装置であれば、本発明を適用可能である。
また、図を用いて説明した各機能ブロックはハードウェアとソフトウェアにより任意に実現可能であり、特定のハードウェア構成を示唆するものではない。
【符号の説明】
【０１２７】
１…記録装置、２…記録システム、３…ホストコンピューター（制御装置）、４…管理装置、１０…記録ヘッド（記録部）、１６…タグ通信装置１６（無線通信部）、３０…制御部、３９…記憶部、５０…制御装置制御部、６０…管理装置制御部、Ｒ…ロール紙（記録媒体）、Ｒ６…ＲＦＩＤタグ（ＩＣタグ）。
【図１】
2016038611.tif 000003
【図２】
2016038611.tif 000004
【図３】
2016038611.tif 000005
【図４】
2016038611.tif 000006
【図５】
2016038611.tif 000007
【図６】
2016038611.tif 000008